(57)【特許請求の範囲】
【請求項１】
衣類に取付け可能であり長手方向に所定の長さを有する引出部と、ＲＦＩＤタグ搭載部と、折り返し可能な折返し部とが前記長手方向に連続して順番に配置されている基材と、
前記ＲＦＩＤタグ搭載部に搭載されたＲＦＩＤタグと、を有し、
前記基材は、前記ＲＦＩＤタグ搭載部と前記引出部との境界に形成された開口部と、
前記折返し部の前記ＲＦＩＤタグ搭載部と反対側の端部に形成された突起部と、を有し、
前記折返し部が折り返された際、前記突起部は、前記開口部に挿入され、前記ＲＦＩＤタグ搭載部と前記折返し部とで囲まれた空間が設けられること、
を特徴とするＲＦＩＤタグ部材。
【請求項２】
前記引出部は、前記衣類に取り付けられた際、
前記衣類の外側まで延在すること、
を特徴とする請求項１記載のＲＦＩＤタグ部材。
【請求項３】
金属の材料が用いられた前記衣類に取付けられたこと、
を特徴とする請求項１または２記載のＲＦＩＤタグ部材。
【請求項４】
積層された前記衣類に取付けられたこと、
を特徴とする請求項１〜３のいずれか１項に記載のＲＦＩＤタグ部材。
【請求項５】
前記引出部は、前記衣類の襟に取付け可能であること、
を特徴とする請求項１〜４のいずれか１項に記載のＲＦＩＤタグ部材。
【発明の詳細な説明】
【技術分野】
【０００１】
本件は、ＲＦＩＤタグが搭載されたＲＦＩＤタグ部材に関する。
【背景技術】
【０００２】
例えば、貸衣装店等では、衣装の検品等の管理をＲＦＩＤ（Radio Frequency IDentification）タグを用いて行っている。すなわち、衣装にＲＦＩＤタグを取り付け、取り付けたＲＦＩＤタグに格納された個別情報をＲＦＩＤリーダで読み取ることで、衣装の検品等の管理を行っている。
【０００３】
管理用のＲＦＩＤタグとしては、例えば、ループ状にして手荷物に取り付けることが可能な形状を有する基材シートと、基材シートに設けられた、ＩＣ（Integrated Circuit）チップと通信用アンテナとを含む非接触型ＩＣモジュールとを有する手荷物用ＲＦＩＤタグが存在する（例えば、特許文献１参照）。
【０００４】
また、所定の長さを有し、ループ状に形成して荷物に取付け可能な帯状のタグ本体と、このタグ本体に取り付けるとともに無線によるデータ交信が可能なＲＦＩＤインレットとを有する荷物用ＲＦＩＤタグが存在する（例えば、特許文献２参照）。
【先行技術文献】
【特許文献】
【０００５】
【特許文献１】特開２００８−２９９６０３号公報
【特許文献２】特開２０１０−２３１０２８号公報
【発明の概要】
【発明が解決しようとする課題】
【０００６】
しかしながら、衣装にＲＦＩＤタグを取り付ける方法では、衣装の材料に金属系繊維等の金属が用いられている場合、ＲＦＩＤタグによって送受信される電波が衣装に妨害されてしまい、ＲＦＩＤタグに格納されている個別情報を、ＲＦＩＤリーダによって読み取ることができない可能性がある。
【０００７】
また、このような問題は、例えば、クリーニング店において、お客から預かった衣類にＲＦＩＤタグを取り付けて管理する場合にも生じ得る。
【課題を解決するための手段】
【０００８】
発明の一観点によれば、以下のようなＲＦＩＤタグ部材が提供される。
このＲＦＩＤタグ部材は、衣類に取付け可能であり長手方向に所定の長さを有する引出部と、ＲＦＩＤタグ搭載部と、折返し可能な折返し部とが長手方向に順番に配置されている基材と、ＲＦＩＤタグ搭載部に搭載されたＲＦＩＤタグと、を有し、折返し部が折り返された際、ＲＦＩＤタグ搭載部と折返し部とで囲まれた空間が設けられる。
【発明の効果】
【０００９】
開示のＲＦＩＤタグ部材によれば、材料に金属が用いられた衣類の管理を容易に行うことが可能となる。
【図面の簡単な説明】
【００１０】
【図１】第１の実施の形態に係るＲＦＩＤタグ部材の一例を示す上面図である。
【図２】第１の実施の形態に係るＲＦＩＤタグ部材の折返しの様子を示す側面図である。
【図３】第１の実施の形態に係るＲＦＩＤタグ部材が衣類に取り付けられた状態の一例を示す上面図である。
【図４】第１の実施の形態に係るＲＦＩＤタグ部材が引き出された状態の一例を示す上面図である。
【図５】図４に対応する側面図である。
【図６】第１の実施の形態に係るＲＦＩＤタグ部材が取り付けられた衣類の検品の様子の一例を示す図である。
【発明を実施するための形態】
【００１１】
以下、実施の形態を図面を参照して説明する。
［第１の実施の形態］
図１は、第１の実施の形態に係るＲＦＩＤタグ部材の一例を示す上面図である。
【００１２】
ＲＦＩＤタグ部材１は、例えば、貸衣装等の衣類に取り付けられて使用される。ＲＦＩＤタグ部材１は、帯状の基材１０と、基材１０に搭載されたＲＦＩＤタグ２０とを有している。
【００１３】
基材１０は、柔軟性を有している。基材１０の材料には、例えば、ナイロン等の化学繊維が用いられている。なお、基材１０の材料には、金属は用いていない。基材１０には、引出部１１と、ＲＦＩＤタグ搭載部１２と、折返し部１３，１４とが、長手方向に順番に配置されている。
【００１４】
引出部１１の長手方向の端部１１ｂには、縫い代１１ａが設けられている。ここで、端部１１ｂは、ＲＦＩＤタグ搭載部１２が配置される側とは反対側の端部である。引出部１１は、縫い代１１ａにおいて、衣類に縫い付けられる。
【００１５】
なお、引出部１１を、縫い代１１ａにおいて、衣類にアイロン圧着させることも可能である。また、引出部１１を、縫い代１１ａにおいて、接着剤を用いて衣類に接着させることも可能である。また、引出部１１は、長手方向に所定の長さを有している。
【００１６】
ＲＦＩＤタグ搭載部１２には、ＲＦＩＤタグ２０が搭載されている。ＲＦＩＤタグ２０には、個別情報が格納されている。ＲＦＩＤタグ２０に格納された個別情報は、ＲＦＩＤリーダによって無線通信により読み取られる。また、ＲＦＩＤタグ２０には、ＲＦＩＤライターによって無線通信により個別情報が書き込まれる。
【００１７】
ＲＦＩＤタグ２０は、例えば、基材１０に埋め込まれている。例えば、ＲＦＩＤタグ２０は、基材１０に設けられたポケットに収容されている。また、ＲＦＩＤタグ２０は、ＲＦＩＤタグ２０を覆うシールによって基材１０に貼り付けられていてもよい。
【００１８】
ＲＦＩＤタグ搭載部１２は、長手方向において引出部１１に隣接して配置されている。また、ＲＦＩＤタグ搭載部１２と引出部１１との境界Ｂ１には、基材１０を貫通する開口部１５が設けられている。
【００１９】
折返し部１３は、長手方向においてＲＦＩＤタグ搭載部１２に隣接して配置されている。折返し部１４は、長手方向において折返し部１３に隣接して配置されている。折返し部１３，１４には、それぞれ、芯材１３ａ，１４ａが埋め込まれている。
【００２０】
折返し部１３は、ＲＦＩＤタグ搭載部１２との境界Ｂ２を軸にして、折り返すことができる。折返し部１４は、折返し部１３との境界Ｂ３を軸にして、折り返すことができる。また、折返し部１４の境界Ｂ３とは反対側の端部１４ｂには、長手方向に突出した突出部１６が設けられている。
【００２１】
なお、折返し部の数は、折返し部１３，１４の２つに限定されるものではなく、３つ以上としてもよい。
次に、ＲＦＩＤタグ部材１を折り返した状態について説明する。
【００２２】
図２は、第１の実施の形態に係るＲＦＩＤタグ部材の折返しの様子を示す側面図である。
図２（Ａ）は、ＲＦＩＤタグ部材１を折り返している過程を示したものであり、図２（Ｂ）は、ＲＦＩＤタグ部材１の折り返しが完了した状態を示したものである。
【００２３】
図２（Ａ）に示すように、ＲＦＩＤタグ部材１の折返し部１３，１４は、それぞれ、境界Ｂ２，Ｂ３を軸として、基材１０の表面１ａ側に折り返される。そして、図２（Ｂ）に示すように、折返し部１４の端部１４ｂと境界Ｂ１とが接触して、ＲＦＩＤタグ搭載部１２と、折返し部１３，１４とで囲まれた空間１７が形成される。
【００２４】
このとき、突出部１６は、開口部１５に挿入されて、基材１０の裏面１ｂ側に突出する。これにより、折り返された折返し部１３，１４が元に戻ることを抑制することができる。
【００２５】
なお、図２（Ｂ）では、境界Ｂ２，Ｂ３において、基材１０が鋭角に曲がっているが、円弧状に曲がっていてもよい。
次に、ＲＦＩＤタグ部材１が衣類に取り付けられた状態について説明する。
【００２６】
図３は、第１の実施の形態に係るＲＦＩＤタグ部材が衣類に取り付けられた状態の一例を示す上面図である。
衣類を通常使用する際、ＲＦＩＤタグ部材１は、折返し部１３，１４が折り返されていない状態で衣類２に取り付けられている。衣類２は、金属系繊維が用いられた、例えば、着物等の貸衣装である。
【００２７】
ＲＦＩＤタグ部材１は、基材１０の表面１ａが上を向くように、縫い代１１ａにおいて、衣類２の襟２ａに縫い付けられている。ここで、折返し部１４の端部１４ｂは、衣類２の裾側に向けられている。
【００２８】
次に、衣類２に取り付けられたＲＦＩＤタグ部材１を引き出した状態について説明する。
図４は、第１の実施の形態に係るＲＦＩＤタグ部材が引き出された状態の一例を示す上面図である。
【００２９】
ＲＦＩＤタグ部材１は、衣類２の保管時、縫い代１１ａを軸にして回転させられ、基材１０の裏面１ｂが上を向くように裏返される。これにより、ＲＦＩＤタグ部材１は、衣類２から引き出された状態となる。すなわち、ＲＦＩＤタグ搭載部１２が、衣類２の外側に引き出される。また、このとき、折返し部１３，１４は折り返されている。
【００３０】
図５は、図４に対応する側面図である。
ＲＦＩＤタグ搭載部１２は、衣類２の外側に位置している。また、折返し部１３，１４が折り返されて、ＲＦＩＤ搭載部１２と折返し部１３，１４とで囲まれた空間１７が形成されている。
【００３１】
ここで、空間１７は、ＲＦＩＤタグ２０と衣類２との間に位置している。これにより、ＲＦＩＤタグ２０と衣類２との間の距離が確保されている。
次に、ＲＦＩＤタグ部材１が取り付けられた複数の衣類２を、一括検品する様子について説明する。
【００３２】
図６は、第１の実施の形態に係るＲＦＩＤタグ部材が取り付けられた衣類の検品の様子の一例を示す図である。
衣類ケース３０には、複数の衣類２が積み重ねられて収納されている。各衣類２には、ＲＦＩＤタグ部材１がそれぞれ取り付けられている。各ＲＦＩＤタグ部材１は引き出された状態となっており、各ＲＦＩＤタグ部材１に搭載されたＲＦＩＤタグ２０は、複数の衣類２の外側に引き出されている。すなわち、各ＲＦＩＤタグ２０は、積層された複数の衣類２に挟まれることなく、衣類２から露出している。
【００３３】
ＲＦＩＤリーダ３１は、ハンディ用のＲＦＩＤリーダである。ＲＦＩＤリーダ３１は、衣類ケース３０の外側から各ＲＦＩＤタグ２０に格納されている個別情報を一括で読み取る。
【００３４】
ここで、各ＲＦＩＤタグ２０は、ＲＦＩＤタグ部材１によって衣類２の外側に引き出されている。また、各ＲＦＩＤタグ２０と、衣類２との間には、空間１７が位置している。
以上説明してきたように、ＲＦＩＤタグ部材１の基材１０には、長手方向に、衣類に取付け可能であり長手方向に所定の長さを有する引出部１１と、ＲＦＩＤタグ搭載部１２と、折返し可能な折返し部１３，１４とが順番に配置され、折返し部１３，１４が折り返された際、ＲＦＩＤタグ搭載部１２と折返し部１３，１４とで囲まれた空間１７が設けられる。
【００３５】
この構成によれば、図５、図６に示したように、ＲＦＩＤタグ部材１を衣類２に取り付けた際、折返し部１３，１４を折り返すことで、ＲＦＩＤタグ２０と衣類２との間に空間１７が介在し、ＲＦＩＤタグ２０と衣類２との距離を確保することが可能となる。
【００３６】
これにより、例えば、衣類２の材料に金属が用いられている場合でも、ＲＦＩＤタグ２０によって送受信される電波が、衣類２により妨害されることを抑制できる。この結果、ＲＦＩＤタグ２０に格納されている個別情報を、ＲＦＩＤリーダによって上手く読み取ることが可能となる。
【００３７】
さらに、ＲＦＩＤタグ部材１の基材１０は、衣類に取付け可能であり長手方向に所定の長さを有する引出部１１を備えている。
この構成によれば、図５、図６に示したように、ＲＦＩＤタグ部材１を衣類２に取り付けた際、ＲＦＩＤタグ搭載部１２を、衣類２の外側に引き出すことが可能となる。このため、検品時に、ＲＦＩＤタグ２０に格納された個別情報をＲＦＩＤリーダによって読み取るため、ＲＦＩＤタグ２０を手作業により衣類２から露出させる手間を省くことができる。例えば、図６に示したように、複数の衣類２を衣類ケース３０に収納したままの状態で、複数の衣類２の検品を行うことが可能となる。
【００３８】
また、ＲＦＩＤタグ搭載部１２が、衣類２の外側に引き出されることで、図６に示したように、複数の衣類２が積層されて衣類ケース３０に収納される場合でも、ＲＦＩＤタグ２０の厚み、または、空間１７により、積層された複数の衣類２の高さが増大してしまうことはない。すなわち、ＲＦＩＤタグ部材１を衣類２に取り付けていない場合と同じ数の衣類２を、衣類ケース３０に収納することが可能となる。
【００３９】
また、ＲＦＩＤタグ部材１では、折返し部１３，１４を折り返すことで空間１７を設けているため、衣類を着用する際には、折返し部１３，１４を元に戻すことで、図３に示すように、基材１０を広げた状態にすることができる。
【００４０】
このため、衣類を人が着用したときに、ＲＦＩＤタグ部材１が肌に当たる等して着心地が悪くなってしまうことを抑制することができる。換言すると、ＲＦＩＤタグ部材１を衣装に着けたままにすることができるため、ＲＦＩＤタグ部材１を衣類に着脱する手間を省くことが可能となる。
【符号の説明】
【００４１】
１  ＲＦＩＤタグ部材
１ａ  表面
１ｂ  裏面
１０  基材
１１  引出部
１１ａ  縫い代
１１ｂ，１４ｂ  端部
１２  ＲＦＩＤタグ搭載部
１３，１４  折返し部
１３ａ，１４ａ  芯材
１５  開口部
１６  突出部
１７  空間
２０  ＲＦＩＤタグ
Ｂ１，Ｂ２，Ｂ３  境界
【図１】
0005558429.tif 000002
【図２】
0005558429.tif 000003
【図３】
0005558429.tif 000004
【図４】
0005558429.tif 000005
【図５】
0005558429.tif 000006
【図６】
0005558429.tif 000007